(57)【特許請求の範囲】
【請求項１】
一部の領域が表示部に拡大表示されている画像の画像データを記録部から削除する削除指示を受け付ける受付部と、
前記削除指示がなされた第１画像を削除した後に表示される第２画像と前記第１画像とが関連している場合に、前記第１画像の拡大率および拡大基準位置の少なくとも一方で前記第２画像の一部を前記表示部に表示させる表示制御部と
を備える表示制御装置。
【請求項２】
前記表示制御部は、前記第１画像と前記第２画像とが関連していない場合に、前記第１画像の拡大率を低下させて前記第２画像を前記表示部に表示させる請求項１に記載の表示制御装置。
【請求項３】
前記表示制御部は、前記第１画像と前記第２画像とが関連していない場合に、前記第２画像の画像全体を表示させる請求項２に記載の表示制御装置。
【請求項４】
前記表示制御部は、前記第１画像が画像群の終了画像である場合に、前記画像群において前記終了画像の直前の画像または前記画像群の開始画像を前記第２画像として表示させる請求項１から３のいずれか１項に記載の表示制御装置。
【請求項５】
前記表示制御部は、前記第１画像が画像群の終了画像である場合に、前記画像群に属する画像が拡大表示された後に前記終了画像が拡大表示されたか否かに応じた前記第２画像を表示させる請求項１から３のいずれか１項に記載の表示制御装置。
【請求項６】
前記表示制御部は、前記第１画像の関連情報および前記第２画像の関連情報が同一である場合に、前記第２画像の一部を前記表示部に表示させる請求項１から５のいずれか１項に記載の表示制御装置。
【請求項７】
前記関連情報は、カメラの縦横位置の変更、アスペクト比の変更、レンズ交換、焦点距離の変更、スピードライトの使用の変更、焦点検出領域の変更、露出値の変更の少なくとも一つである請求項６に記載の表示制御装置。
【請求項８】
前記表示制御部は、前記第１画像と前記第２画像とが同一の画像群に属する場合に、前記第２画像の一部を前記表示部に表示させる請求項１から７のいずれか１項に記載の表示制御装置。
【請求項９】
前記画像群は、連写撮影された一連の画像により構成される請求項８に記載の表示制御装置。
【請求項１０】
前記表示制御部は、表示画像が画像群に属する場合に、前記表示画像の前記画像群における順序を前記表示部に表示させる請求項１から９のいずれか１項に記載の表示制御装置。
【請求項１１】
請求項１から１０のいずれか１項に記載の表示制御装置と、
前記画像データの少なくとも一部を生成する撮像部と
を備える撮像装置。
【請求項１２】
一部の領域が表示部に拡大表示されている画像の画像データを記録部から削除する削除指示を検知する検知ステップと、
前記削除指示がなされた第１画像を削除した後に表示される第２画像と前記第１画像とが関連している場合に、前記第１画像の拡大率および拡大基準位置の少なくとも一方で前記第２画像の一部を前記表示部に表示させる表示制御ステップと
をコンピュータに実行させる表示制御プログラム。
【発明の詳細な説明】
【技術分野】
【０００１】
本発明は、表示制御装置、撮像装置および表示制御プログラムに関する。
【背景技術】
【０００２】
記録媒体の画像データの再生時に、一部の領域が表示部に拡大表示されている画像の拡大率および拡大基準位置を維持して次の画像に切り替える撮像装置が知られている。
［先行技術文献］
［特許文献］
［特許文献１］特開２００４−２６０７１５号公報
【発明の概要】
【発明が解決しようとする課題】
【０００３】
ユーザは、拡大表示されている画像の画像データを削除するときに、削除画像の拡大率および拡大基準位置を維持するか、それとも少なくとも一方を変更するかを次の画像の内容によって切り替えたい場合があった。
【課題を解決するための手段】
【０００４】
本発明の第１の態様における表示制御装置は、一部の領域が表示部に拡大表示されている画像の画像データを記録部から削除する削除指示を受け付ける受付部と、削除指示がなされた削除画像と次に表示すべき次画像とが関連しているか否かを判定する判定部と、判定部の判定結果に基づく表示状態で次画像を表示部に表示させる表示制御部と備える。
【０００５】
本発明の第２の態様における撮像装置は、上述の表示制御装置と、画像データの少なくとも一部を生成する撮像部とを備える。
【０００６】
本発明の第３の態様における表示制御プログラムは、一部の領域が表示部に拡大表示されている画像の画像データを記録部から削除する削除指示を検知する検知ステップと、削除指示がなされた削除画像と次に表示すべき次画像とが関連しているか否かを判定する判定ステップと、判定ステップの判定結果に基づく表示状態で次画像を表示部に表示させる表示制御ステップとをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係るカメラの正面斜視図である。
【図２】本実施形態に係るカメラ本体の背面図である。
【図３】本実施形態に係るカメラのシステム構成図である。
【図４】画像群の構成を説明する図である。
【図５】拡大表示処理を説明する図である。
【図６】コマ送り処理に伴う画像表示処理を説明する図である。
【図７】削除画像と次画像とが関連している場合の削除処理に伴う画像表示処理を説明する図である。
【図８】削除画像と次画像とが関連していない場合の削除処理に伴う画像表示処理を説明する図である。
【図９】本実施形態における撮影処理のフロー図である。
【図１０】本実施形態における再生処理のフロー図である。
【図１１】削除処理に伴う画像表示処理の第１変形例を説明する図である。
【図１２】削除処理に伴う画像表示処理の第２変形例を説明する図である。
【図１３】削除処理に伴う画像表示処理の第３変形例を説明する図である。
【図１４】削除処理に伴う画像表示処理の第４変形例を説明する図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る撮像装置としてのカメラ１０の正面斜視図である。ここでは、レンズ交換式カメラを例に説明する。カメラ本体３０には、交換レンズ２０が装着される。カメラ本体３０には、焦点距離、開放Ｆ値等の異なる種々の交換レンズが装着可能である。カメラ１０は、カメラ本体３０に交換レンズ２０が装着されて構成される。交換レンズ２０は、鏡筒内に、光軸１１に沿って配列された光学系を備え、入射する被写体光束をカメラ本体３０へ導く。光学系は、複数枚のレンズで構成され、フォーカシング機能、ズーミング機能等を有する。なお、図示するように、光軸１１に平行な方向である前後方向をｚ軸方向とする。また、ｚ軸に直交し、かつカメラ本体３０の長手方向と平行な方向である左右方向をｘ軸方向とし、ｚ軸およびｘ軸に直交する方向である上下方向をｙ軸方向とする。
【００１１】
カメラ本体３０には、キセノン管、ＬＥＤ等の発光部材を備えるスピードライト３１が設けられている。カメラ本体３０の上面には、複数の操作部材が設けられている。具体的には、撮影指示を受け付けるレリーズボタン３２、撮影モードの切り替えを受け付ける撮影モードダイヤル３３が配置されている。
【００１２】
図２は、本実施形態に係るカメラ本体３０の背面図である。カメラ本体３０の背面には、液晶モニタ等の表示部３４が設けられている。カメラ本体３０の背面においても、上面と同様に、複数の操作部材が設けられている。具体的には、画像データの再生指示を受け付ける再生ボタン３５、画像データの削除指示を受け付ける削除ボタン３６、表示画像の拡大指示を受け付ける拡大ボタン３７、表示画像の縮小指示を受け付ける縮小ボタン３８が配置されている。また、表示部３４に表示されたカーソルの移動等に用いられる十字キー３９、カーソルで選択された項目の機能等を実行させるための決定ボタン４０、再生画像のコマ送り指示を受け付けるコマンドダイヤル４１が配置されている。
【００１３】
図３は、本実施形態に係るカメラ１０のシステム構成図である。被写体光束は、光軸１１に沿って光学系を透過し、撮像素子１３３の受光面で被写体像として結像する。光学系は、レンズ１２１、レンズ１２２、絞り１２３を含む。レンズシステム制御部１２０は、駆動回路１２４を介してレンズ１２１、レンズ１２２、絞り１２３を駆動する。また、レンズシステム制御部１２０は、レンズマウント接点１２５およびカメラマウント接点１３１を介してカメラシステム制御部１３０と接続され、相互に通信を実行しつつ協働して交換レンズ２０とカメラ本体３０を制御する。なお、レンズマウント接点１２５およびカメラマウント接点１３１は、それぞれ上述の交換レンズ２０側の通信端子およびカメラ本体３０側の通信端子を含む。
【００１４】
撮像素子１３３は、光学系を透過して入射する被写体光束を光電変換する素子であり、例えば、ＣＣＤ、ＣＭＯＳセンサが用いられる。シャッタ１３４は、露光時間中は開き、露光時間以外は被写体光束が撮像素子１３３に入射しないように閉じる。撮像素子１３３は、受光面で結像した被写体像をアナログ信号に変換する。Ａ／Ｄ変換器１３５は、撮像素子１３３が出力するアナログ信号をデジタル信号に変換する。デジタル信号に変換された被写体像は、画像データとして順次処理される。
【００１５】
Ａ／Ｄ変換器１３５によりデジタル信号に変換された画像データは、画像処理部１３６へ引き渡される。画像処理部１３６は、撮影モードダイヤル３３で選択された撮影モード等に従って、画像データをＪＰＥＧファイル等の規格化された画像フォーマットの画像データに変換する。撮影モードには、連写撮影モード、露出値等を自動で変更して連続撮影を行うオートブラケティングモード等が含まれる。メモリ制御部１３７は、いかなる作業にどれくらいのメモリ容量を割り当てるかを制御する。内部メモリ１３８は、高速で読み書きのできるランダムアクセスメモリであり、例えばＤＲＡＭ、ＳＲＡＭなどが用いられる。内部メモリ１３８は、画像処理部１３６が行う処理において、ワークメモリとしての役割を担う。また、内部メモリ１３８は、連写撮影モード、オートブラケティングモードにおいて高速に連続して画像データが生成される場合に、画像処理の順番を待つバッファメモリとしての役割を担う。
【００１６】
画像処理部１３６によって処理された画像データは、メモリ制御部１３７の制御により、内部メモリ１３８から外部機器ＩＦ１４０を介して、記録媒体の記録部１４１に記録される。記録媒体は、フラッシュメモリ等により構成される、カメラ本体３０に対して着脱可能な不揮発性メモリである。記録部１４１には、画像に関連する関連情報が画像データに関連付けて記録される。関連情報には、連写撮影を示す連写フラグ、オートブラケティングを示すＢＫＴフラグ、撮影時のカメラ１０の縦位置／横位置を示すフラグ、アスペクト比情報が含まれる。その他にも、関連情報には、交換レンズ２０の情報、焦点距離の情報、スピードライト３１の使用／不使用のフラグ、焦点検出位置の情報が含まれる。なお、関連情報は、例えばＥｘｉｆ情報に含まれていてもよい。
【００１７】
画像処理部１３６は、画像データの画像内における人物の顔部を検出する顔検出機能を実行する。顔検出機能により取得された顔検出情報には、画像における顔部の基準位置を示す位置情報、顔部のサイズ情報等が含まれる。顔検出情報は、上述の関連情報として画像データとともに記録部１４１に記録される。表示制御部１３９は、カメラシステム制御部１３０の制御に従い、記録部１４１に記録されている画像データの画像、カメラ１０の各種設定に関する様々なメニュー項目等を表示部３４に表示させる。
【００１８】
カメラ１０は、上述の画像処理における各々の要素も含めて、カメラシステム制御部１３０により直接的または間接的に制御される。カメラシステム制御部１３０は、システムメモリ１３２を備える。システムメモリ１３２は、電気的に消去・記録可能な不揮発性メモリであり、例えばＥＥＰＲＯＭ（登録商標）等により構成される。システムメモリ１３２は、カメラ１０の動作時に必要な定数、変数、プログラム等を、カメラ１０の非動作時にも失われないように記録している。
【００１９】
カメラ本体３０は、電源１４３から電力供給を受ける。電源制御部１４２は、電源１４３と通信して残電力の検出、電力供給の監視、給電を行う。電源１４３は、２次電池、家庭用ＡＣ電源等により構成される。交換レンズ２０への給電は、レンズマウント接点１２５、カメラマウント接点１３１を介して行われる。
【００２０】
操作検出部１４４は、上述した操作部材が操作されたことを検出してカメラシステム制御部１３０へ検出結果を出力する。カメラシステム制御部１３０は、操作検出部１４４の出力に応じてユーザの操作を検知し、各種動作を実行する。具体的には、カメラシステム制御部１３０は、レリーズボタン３２の１段階目の押下げであるＳＷ１のオンを検知することにより撮影準備動作であるＡＦ、ＡＥ等を実行する。カメラシステム制御部１３０は、レリーズボタン３２の２段階目の押下げであるＳＷ２のオンを検知することにより撮像素子１３３による被写体像の取得動作を実行する。なお、カメラシステム制御部１３０は、被写体像の取得動作時に、露出値に応じてスピードライト３１の発光を制御する。
【００２１】
カメラシステム制御部１３０が再生ボタン３５で受け付けた再生指示を検知すると、表示制御部１３９は、記録部１４１に記録されている画像データの再生処理を実行する。本実施形態において、削除ボタン３６は、再生処理中に、表示部３４に表示されている画像の画像データを記録部１４１から削除する削除指示を受け付ける受付部の機能を担う。また、カメラシステム制御部１３０は、一部の領域が表示部３４に拡大表示されている画像の画像データを記録部１４１から削除する削除指示を検知した場合に、削除指示がなされた削除画像と次に表示すべき次画像とが関連しているか否かを判定する判定部として機能する。表示制御部１３９は、カメラシステム制御部１３０の判定結果に応じた表示状態で、次画像を表示部３４に表示させる。削除画像と次画像との関連性に応じて次画像の表示状態が切り替わることにより、ユーザは、拡大表示中の画像を削除したときに次画像を確認し易くなる。
【００２２】
本実施形態において、カメラシステム制御部１３０は、削除画像と次画像とが同一の画像群に属するか否かを判断する。カメラシステム制御部１３０は、削除画像と次画像とが同一の画像群に属すると判断した場合には、削除画像と次画像とが関連していると判定する。一方、カメラシステム制御部１３０は、削除画像と次画像とが同一の画像群に属しないと判断した場合には、削除画像と次画像とが関連していないと判定する。以下において、まず、本実施形態における画像群の構成を説明する。そして、再生処理に関連する拡大表示処理、コマ送り処理に伴う画像表示処理、削除処理に伴う画像表示処理について順に説明する。
【００２３】
図４は、画像群の構成を説明する図である。本実施形態において、画像群は、連写撮影された一連の画像により構成される。ユーザは、撮影モードダイヤル３３で連写モードを選択してレリーズボタン３２を押し続けることにより、連写撮影を行う。本実施形態において、１回目の連写撮影により画像群２００が取得され、２回目の連写撮影により画像群３００が取得されている。また、画像群２００が取得されてから画像群３００が取得されるまでの間には、撮影が行われていない。
【００２４】
画像群２００は、１回の連写で撮影された４枚の画像２１０、画像２２０、画像２３０、画像２４０で構成されている。４枚の画像２１０、画像２２０、画像２３０、画像２４０の関連情報には、共通の連写フラグが含まれている。画像群３００は、１回の連写で撮影された３枚の画像３１０、画像３２０、画像３３０で構成されている。３枚の画像３１０、画像３２０、画像３３０の関連情報には、画像２１０、画像２２０、画像２３０、画像２４０の関連情報が含む連写フラグとは異なる、共通の連写フラグが含まれている。本実施形態において、カメラシステム制御部１３０は、連写フラグを参照して、画像が画像群に属するか否かを判断する。カメラシステム制御部１３０は、２つの画像の関連情報が共通の連写フラグを有する場合に、当該２つの画像は同一の画像群に属すると判断する。なお、記録部１４１には、画像２１０、画像２２０、画像２３０、画像２４０、画像３１０、画像３２０、画像３３０の順で画像データが記録されている。
【００２５】
図５は、拡大表示処理を説明する図である。ユーザが再生ボタン３５を押下した後に十字キー３９、決定ボタン４０を操作して画像２１０を選択すると、表示制御部１３９は、画像２１０の全体を表示部３４に表示させる。なお、本実施形態において、表示制御部１３９は、表示画像が画像群に属する場合に、当該表示画像の画像群における順序を示すための順序欄４００を画面右下に表示させる。図５に示すように、画像群２００に属する画像２１０が表示される場合に、４枚の画像で構成される画像群２００における１番目の画像であることを示す「１／４」が順序欄４００に表示される。
【００２６】
画像２１０の表示中にユーザが拡大ボタン３７を押すと、カメラシステム制御部１３０は、拡大ボタン３７の押下の回数に応じて拡大率を決定する。本実施形態において、カメラシステム制御部１３０は、拡大ボタン３７がｎ回押されると、２のｎ乗を拡大率として決定する。表示制御部１３９は、画像２１０の中心位置を拡大基準位置として、拡大率に応じた一部の領域を拡大領域４１０として決定する。そして、表示制御部１３９は、拡大領域４１０に対応する拡大画像４１１を表示部３４に表示させる。本実施形態において、拡大基準位置は、拡大領域の中心位置である。なお、拡大基準位置は、中心位置以外の位置、例えば拡大領域の左上頂点の位置であってもよい。また、カメラシステム制御部１３０は、ユーザの入力を操作部材で受け付けて拡大基準位置を設定してもよい。
【００２７】
画像が拡大表示されている場合にユーザが縮小ボタン３８を押すと、表示制御部１３９は、上述した拡大処理の手順とは逆に、縮小ボタン３８の押下の回数に応じて表示画像の縮小処理を行う。ただし、表示制御部１３９は、表示画像が画像全体まで縮小された後においては、縮小ボタン３８の押下を受け付けても縮小処理を実行せずに画像全体を表示部３４に表示させる。
【００２８】
拡大画像４１１の表示中にユーザが十字キー３９を操作すると、表示制御部１３９は、十字キー３９が押された方向、押された時間に応じて、拡大領域の位置を移動する。例えば、表示制御部１３９は、十字キー３９の上ボタンが押されると、押下の継続時間に応じて予め定められたスクロール量だけ拡大領域を上に移動する。拡大領域は、画像２１０の領域内で移動させることができる。ユーザが十字キー３９を操作して拡大領域４２０を設定すると、表示制御部１３９は、拡大領域４２０に対応する拡大画像４２１を表示部３４に表示させる。
【００２９】
図６は、コマ送り処理に伴う画像表示処理を説明する図である。再生処理中にユーザがコマンドダイヤル４１を操作すると、表示制御部１３９は、記録部１４１に記録されている画像データの画像を順に切り替えて表示部３４に表示させるコマ送り処理を実行する。なお、コマンドダイヤル４１が反時計回りに操作されると画像の記録順に切り替える順送り処理が実行され、コマンドダイヤル４１が時計回りに操作されると画像の記録順と逆の順序で切り替える逆送り処理が実行される。
【００３０】
本実施形態において、画像の一部が拡大表示されている場合にコマンドダイヤル４１が操作されると、カメラシステム制御部１３０は、表示中の画像と次に表示すべき次画像とが同一の画像群に属するか否かを判断する。表示制御部１３９は、表示中の画像と次画像とが同一の画像群に属する場合には、表示中の画像の拡大率および拡大基準位置を維持した表示状態で次画像を表示部３４に表示させる。一方、表示制御部１３９は、表示中の画像と次画像とが同一の画像群に属しない場合には、次画像の全体を表示部３４に表示させる。
【００３１】
上述のとおり、画像２１０、画像２２０、画像２３０、画像２４０は、同一の画像群２００に属する。そのため、図６に示すように、ユーザが画像２１０の拡大画像５１０の表示中にコマンドダイヤル４１を反時計回りに操作すると、表示制御部１３９は、画像２１０の拡大率および拡大基準位置を維持した表示状態で次の画像２２０の拡大画像５２０を表示部３４に表示させる。
【００３２】
同様に、ユーザが拡大画像５２０の表示中にコマンドダイヤル４１をさらに反時計回りに操作すると、表示制御部１３９は、画像２２０の拡大率および拡大基準位置を維持した表示状態で次の画像２３０の拡大画像５３０を表示部３４に表示させる。ユーザが拡大画像５３０の表示中にコマンドダイヤル４１をさらに反時計回りに操作すると、表示制御部１３９は、画像２３０の拡大率および拡大基準位置を維持した表示状態で次の画像２４０の拡大画像５４０を表示部３４に表示させる。
【００３３】
一方、画像２４０の次の画像３１０は、画像２４０が属する画像群２００に属しない。そのため、ユーザが拡大画像５４０の表示中にコマンドダイヤル４１をさらに反時計回りに操作すると、表示制御部１３９は、画像３１０の全体を表示部３４に表示させる。
【００３４】
次に、削除処理に伴う画像表示処理について説明する。上述したように、カメラシステム制御部１３０は、削除指示がなされた削除画像と次に表示すべき次画像とが同一の画像群に属すると判断した場合には、削除画像と次画像とが関連していると判定する。一方、カメラシステム制御部１３０は、削除画像と次画像とが同一の画像群に属しないと判断した場合には、削除画像と次画像とが関連していないと判定する。
【００３５】
表示制御部１３９は、カメラシステム制御部１３０が削除画像と次画像とが関連していると判定した場合には、削除画像の拡大率および拡大基準位置を維持した表示状態で次画像を表示部３４に表示させる。一方、表示制御部１３９は、カメラシステム制御部１３０が削除画像と次画像とが関連していないと判定した場合には、次画像の全体を表示部３４に表示させる。
【００３６】
図７は、削除画像と次画像とが関連している場合の削除処理に伴う画像表示処理を説明する図である。図６を用いて説明したように、表示制御部１３９は、ユーザの操作に応じて、画像２２０の拡大画像５２０を表示部３４に表示させる。ユーザが拡大画像５２０の表示中に削除ボタン３６を押すと、カメラシステム制御部１３０は、まず削除指示がなされた画像２２０の次に記録されている画像２３０を次に表示すべき次画像と決定する。次に、カメラシステム制御部１３０は、画像２２０と画像２３０とが同一の画像群に属するか否かを判断する。
【００３７】
上述のとおり画像２２０と画像２３０は同一の画像群２００に属するので、カメラシステム制御部１３０は、画像２２０と画像２３０とが関連していると判定する。表示制御部１３９は、画像２２０の拡大率および拡大基準位置を維持した表示状態で次画像２３０の拡大画像５３０を表示部３４に表示させる。なお、カメラシステム制御部１３０は、表示画面の更新後に削除指示がなされた画像２２０の画像データを記録部１４１から削除する。
【００３８】
図８は、削除画像と次画像とが関連していない場合の削除処理に伴う画像表示処理を説明する図である。ユーザが画像群に属しない画像６００の拡大画像６１０の表示中に削除ボタン３６を押すと、カメラシステム制御部１３０は、まず削除指示がなされた画像６００の次に記録されている画像６２０を次に表示すべき次画像と決定する。なお、画像６２０も、画像６００と同様に画像群に属しない。
【００３９】
次に、カメラシステム制御部１３０は、画像６００と画像６２０とが同一の画像群に属するか否かを判断する。画像６００および画像６２０はいずれも画像群に属しないので、カメラシステム制御部１３０は、画像６００と画像６２０とは関連していないと判定する。表示制御部１３９は、画像６２０の全体を表示部３４に表示させる。なお、カメラシステム制御部１３０は、表示画面の更新後に削除指示がなされた画像６００の画像データを記録部１４１から削除する。
【００４０】
削除画像と次画像とが同一の画像群に属するか否かに応じて次画像の表示状態を切り替えるので、ユーザは次画像を確認し易くなる。具体的には、削除画像と次画像とが同一の画像群に属する場合において図７で説明したように削除後も拡大状態を維持するので、ユーザは、再度拡大ボタンを押すことなく同一の被写体の写り具合を継続して確認できる。一方、削除画像と次画像とが同一の画像群に属しない場合において図８で説明したように削除後には全体表示に戻すので、ユーザは、次の画像における別の被写体を確認し易くなる。
【００４１】
図９は、本実施形態における撮影処理のフロー図である。本フローは、カメラ１０の電源がオンになったときに開始される。ステップＳ１０１では、カメラシステム制御部１３０は、再生モードへ移行するか否かを判断する。具体的には、カメラシステム制御部１３０は、再生ボタン３５のオン操作を検知した場合に、再生モードへ移行すると判断する。カメラシステム制御部１３０は、再生モードへ移行すると判断した場合には、再生モードへ移行し、後述するステップＳ２０１へ移行する。一方、カメラシステム制御部１３０は、再生モードへ移行しないと判断した場合には、撮影モードへ移行し、ステップＳ１０２へ移行する。
【００４２】
ステップＳ１０２では、カメラシステム制御部１３０は、レリーズボタン３２のスイッチＳＷ１がオンになったか否かを検知する。カメラシステム制御部１３０は、スイッチＳＷ１のオンを検知した場合にはステップＳ１０３へ移行し、スイッチＳＷ１のオンを検知しなかった場合にはステップＳ１１１へ移行する。ステップＳ１０３では、カメラシステム制御部１３０は、ＡＥ、ＡＦ等の撮影準備動作を実行する。ステップＳ１０４では、カメラシステム制御部１３０は、レリーズボタン３２のスイッチＳＷ２がオンになったか否かを検知する。カメラシステム制御部１３０は、スイッチＳＷ２のオンを検知した場合には、ステップＳ１０５へ移行する。一方、カメラシステム制御部１３０は、スイッチＳＷ１のオンを検知してから一定時間内、例えば５秒以内にスイッチＳＷ２のオンを検知しなかった場合にはステップＳ１１１へ移行する。
【００４３】
ステップＳ１０５では、カメラシステム制御部１３０は、シャッタ１３４を制御して、撮像素子１３３による被写体像の取得動作である撮像動作を実行する。ステップＳ１０６では、カメラシステム制御部１３０は、レリーズボタン３２のスイッチＳＷ２のオンが解除されたか否かを検知する。カメラシステム制御部１３０は、スイッチＳＷ２のオンの解除を検知しない、すなわちスイッチＳＷ２のオンが継続されていることを検知した場合には、ステップＳ１０５へ戻って撮像動作を再度実行し、連写撮影を行う。一方、カメラシステム制御部１３０は、スイッチＳＷ２のオンの解除を検知した場合には、ステップＳ１０７へ移行する。
【００４４】
ステップＳ１０７では、画像処理部１３６は、ステップＳ１０５における撮像素子１３３の出力に応じて上述した画像処理を実行する。ステップＳ１０８では、カメラシステム制御部１３０は、今回の撮影が連写撮影であるか否か、すなわちステップＳ１０５における撮像動作が複数回連続して実行されたか否かを判断する。カメラシステム制御部１３０は、今回の撮影が単写撮影であると判断した場合にはステップＳ１０９へ移行し、今回の撮影が連写撮影であると判断した場合にはステップＳ１１０へ移行する。
【００４５】
ステップＳ１０９では、カメラシステム制御部１３０は、ステップＳ１０７の画像処理で生成された一枚の画像の画像データを記録部１４１に記録するとともに、関連情報を当該画像に対応付けて記録部１４１に記録する。一方、ステップＳ１１０では、カメラシステム制御部１３０は、ステップＳ１０７の画像処理で生成された一連の画像の画像データを記録部１４１に記録するとともに、共通の連写フラグを含む関連情報を各画像に対応付けて記録部１４１に記録する。なお、今回の連写撮影時に付与する連写フラグは、前回までの連写撮影時に付与した連写フラグとは異なる。例えば、連写フラグとして、画像群ごとに固有の番号が付与される。
【００４６】
ステップＳ１１１では、カメラシステム制御部１３０は、カメラ１０の電源のオフ操作がなされたか否かを検知する。カメラシステム制御部１３０は、カメラ１０の電源のオフ操作を検知しない場合にはステップＳ１０１へ戻り、カメラ１０の電源のオフ操作を検知した場合には本フローを終了する。
【００４７】
なお、カメラシステム制御部１３０は、上述のステップＳ１０７の画像処理を、ステップＳ１０５の撮像動作の後に実行したが、連写撮影の場合には撮像動作と並行して実行してもよい。また、カメラシステム制御部１３０は、上述のステップＳ１１０の記録処理を、ステップＳ１０７の画像処理の後に実行したが、連写撮影の場合には画像処理と並行して実行してもよい。
【００４８】
図１０は、本実施形態における再生処理のフロー図である。本フローは、上述したステップＳ１０１においてカメラシステム制御部１３０が再生モードへ移行した場合に開始される。ステップＳ２０１では、表示制御部１３９は、記録部１４１に記録されている画像データの画像を１枚表示部３４に表示させる。再生モード開始時に表示される画像は、例えば記録部１４１に記録されている画像データの画像のうち一番古い画像である。
【００４９】
ステップＳ２０２では、カメラシステム制御部１３０は、操作部材が拡大率、拡大基準位置を変更する拡大変更指示を受け付けたか否かを判断する。カメラシステム制御部１３０は、拡大変更指示が受け付けられた場合にはステップＳ２０３へ移行し、拡大変更指示が受け付けられていない場合にはステップＳ２０４へ移行する。ステップＳ２０３では、表示制御部１３９は、拡大変更指示に応じて表示部３４の画面を更新する。ステップＳ２０２およびＳ２０３の具体的な処理は、図５を用いて説明したとおりである。
【００５０】
ステップＳ２０４では、カメラシステム制御部１３０は、コマンドダイヤル４１がコマ送り指示を受け付けたか否かを判断する。カメラシステム制御部１３０は、コマ送り指示が受け付けられた場合にはステップＳ２０５へ移行し、コマ送り指示が受け付けられていない場合にはステップＳ２０９へ移行する。ステップＳ２０５では、カメラシステム制御部１３０は、表示中の画像が拡大表示されているか否かを判断する。カメラシステム制御部１３０は、表示中の画像が拡大表示されている場合にはステップＳ２０６へ移行し、表示中の画像が拡大表示されていない場合にはステップＳ２０８へ移行する。
【００５１】
ステップＳ２０６では、カメラシステム制御部１３０は、表示中の画像と次画像とが関連しているか否かを判断する。カメラシステム制御部１３０は、表示中の画像と次画像とが関連している場合にはステップＳ２０７へ移行し、表示中の画像と次画像とが関連していない場合にはステップＳ２０８へ移行する。ステップＳ２０７では、表示制御部１３９は、表示中の画像の拡大率および拡大基準位置を維持した表示状態で次画像を表示部３４に表示させる。一方、ステップＳ２０８では、表示制御部１３９は、次画像の全体を表示部３４に表示させる。ステップＳ２０４からＳ２０８の具体的な処理は、図６を用いて説明したとおりである。
【００５２】
ステップＳ２０９では、カメラシステム制御部１３０は、削除ボタン３６が削除指示を受け付けたか否かを判断する。カメラシステム制御部１３０は、削除指示が受け付けられた場合にはステップＳ２１０へ移行し、削除指示が受け付けられていない場合にはステップＳ２１５へ移行する。ステップＳ２１０では、カメラシステム制御部１３０は、削除指示がなされた削除画像が拡大表示されているか否かを判断する。カメラシステム制御部１３０は、削除画像が拡大表示されている場合にはステップＳ２１１へ移行し、削除画像が拡大表示されていない場合にはステップＳ２１３へ移行する。
【００５３】
ステップＳ２１１では、カメラシステム制御部１３０は、削除画像と次画像とが関連しているか否かを判断する。カメラシステム制御部１３０は、削除画像と次画像とが関連している場合にはステップＳ２１２へ移行し、削除画像と次画像とが関連していない場合にはステップＳ２１３へ移行する。ステップＳ２１２では、表示制御部１３９は、削除画像の拡大率および拡大基準位置を維持した表示状態で次画像を表示部３４に表示させる。一方、ステップＳ２１３では、表示制御部１３９は、次画像の全体を表示部３４に表示させる。ステップＳ２１４では、カメラシステム制御部１３０は、削除画像の画像データを記録部１４１から削除する。ステップＳ２０９からＳ２１４の具体的な処理は、図７、８を用いて説明したとおりである。
【００５４】
ステップＳ２１５では、カメラシステム制御部１３０は、撮影モードへ移行するか否かを判断する。具体的には、カメラシステム制御部１３０は、再生ボタン３５のオン操作を検知した場合に、撮影モードへ移行すると判断する。カメラシステム制御部１３０は、撮影モードへ移行すると判断した場合には、再生モードから撮影モードへ移行し、上述したステップＳ１０２へ移行する。一方、カメラシステム制御部１３０は、撮影モードへ移行しないと判断した場合には、ステップＳ２１６へ移行する。
【００５５】
ステップＳ２１６では、カメラシステム制御部１３０は、カメラ１０の電源のオフ操作がなされたか否かを検知する。カメラシステム制御部１３０は、カメラ１０の電源のオフ操作を検知しない場合にはステップＳ２０２へ戻り、カメラ１０の電源のオフ操作を検知した場合には本フローを終了する。
【００５６】
上述のステップＳ２１１では、カメラシステム制御部１３０は、削除画像の次に記録された画像を次画像として扱ったが、これに限らない。図１１は、削除処理に伴う画像表示処理の第１変形例を説明する図である。第１変形例では、カメラシステム制御部１３０は、ステップＳ２１１において、削除画像が画像群の終了画像である場合に、終了画像の直前の画像を次画像と決定する。削除画像が画像群の終了画像であるか否かの判断には、連写フラグが用いられる。カメラシステム制御部１３０は、削除画像の直前の画像の関連情報と削除画像の関連情報とが共通の連写フラグを有し、かつ削除画像の関連情報と削除画像の次に記録された画像の関連情報とが共通の連写フラグを有しない場合に、削除画像を画像群の終了画像と判断する。
【００５７】
終了画像の直前の画像と終了画像とは同一の画像群に属することから、カメラシステム制御部１３０は、終了画像と直前の画像とが関連していると判定する。例えば、図１１に示すように、上述の処理により画像群２００の終了画像である画像２４０の拡大画像５４０の表示されている場面を想定する。この場面でユーザが削除ボタン３６を押すと、カメラシステム制御部１３０は、画像２４０の直前の画像である画像２３０を次画像と決定し、画像２４０と画像２３０とが関連していると判定する。そして、ステップＳ２１２において、表示制御部１３９は、画像２４０の拡大基準位置および拡大率を維持した表示状態で画像２３０の拡大画像５３０を表示部３４に表示させる。第１変形例によれば、ユーザは、画像群の終了画像を削除した場合であっても、同一の画像群の他の画像を継続して確認できる。すなわち、ユーザは、終了画像を拡大表示させて確認した結果、ピンボケ等で終了画像の画像データを削除したときに、終了画像を確認したときと同様の拡大表示状態で同一の画像群の他の画像をすぐ確認できる。
【００５８】
なお、カメラシステム制御部１３０は、削除画像が画像群の終了画像である場合に、終了画像の直前の画像に代えて、終了画像と同一の画像群における開始画像を次画像と決定してもよい。例えば、画像群２００の終了画像２４０の拡大画像５４０の表示中にユーザが削除ボタン３６を押すと、カメラシステム制御部１３０は、画像群２００の開始画像である画像２１０を次画像と決定する。終了画像と同一の画像群における開始画像を次画像と決定する構成を採用しても、上述と同様に、ユーザは、画像群の終了画像を削除したときに、同一の画像群の他の画像を継続して確認できる。
【００５９】
図１２は、判定処理における第２変形例を説明する図である。第２変形例では、カメラシステム制御部１３０は、ステップＳ２１１において、削除画像が画像群の終了画像である場合に、画像群に属する画像が拡大表示された後に終了画像が拡大表示されたか否かに応じて次画像を決定する。削除画像が画像群の終了画像であるか否かの判断は、第１変形例と同様である。
【００６０】
終了画像が画像群の中で最初に拡大表示された状態でユーザが終了画像を削除した場合、ユーザは同一の画像群の画像も終了画像と同様の拡大表示状態で継続して確認したい可能性が高い。そこで、終了画像が画像群の中で最初に拡大表示された状態でユーザが削除ボタン３６を押すと、図１１を用いて説明したように、カメラシステム制御部１３０は、終了画像の直前の画像または画像群における開始画像を次画像と決定する。そして、ステップＳ２１２において、表示制御部１３９は、終了画像の拡大基準位置および拡大率を維持した表示状態で直前の画像または開始画像を表示部３４に表示させる。
【００６１】
一方、画像群の中の別の画像が拡大表示された後に終了画像が拡大表示された状態でユーザが終了画像を削除した場合、ユーザは当該画像群に属する一連の画像の確認を終えて当該画像群とは別の画像を確認したい可能性が高い。そこで、画像群の中の別の画像が拡大表示された後に終了画像が拡大表示された状態でユーザが削除ボタンを押すと、カメラシステム制御部１３０は、終了画像の次に記録された画像を次画像と決定する。終了画像と次に記録された画像とは同一の画像群に属さないことから、カメラシステム制御部１３０は、終了画像と次に記録された画像とが関連していないと判定する。そして、ステップＳ２１３において、表示制御部１３９は、次画像の全体を表示部３４に表示させる。
【００６２】
例えば、図１２に示すように、上述の処理により画像群２００の画像２３０の拡大画像５３０が表示された後に画像群２００の終了画像である画像２４０の拡大画像５４０が表示されている場面を想定する。この場面でユーザが削除ボタン３６を押すと、カメラシステム制御部１３０は、画像２４０の次に記録された画像である画像３１０を次画像と決定する。そして、ステップＳ２１３において、表示制御部１３９は、画像３１０の全体を表示部３４に表示させる。第２変形例によれば、ユーザが画像群の終了画像を削除した場合に、ユーザの要望にあった次画像を表示部に表示させることができる。
【００６３】
上述したステップＳ２１２において、表示制御部１３９は、削除指示がなされた削除画像の拡大率および拡大基準位置の両方を維持した表示状態で次に表示すべき次画像を表示部３４に表示させたが、これに限らない。表示制御部１３９は、削除画像の拡大率および拡大基準位置の一方を維持しつつ他方を変更した表示状態で次画像を表示部３４に表示させてもよい。
【００６４】
図１３は、削除処理に伴う画像表示処理の第３変形例を説明する図である。第３変形例では、表示制御部１３９は、ステップＳ２１２において、削除画像の拡大基準位置を維持しつつ拡大率を変更した表示状態で次画像を表示部３４に表示させる。例えば、図１３に示すように、画像群３００の画像３１０の被写体である人物７００の顔部近傍の領域を拡大率４倍で拡大表示させた拡大画像７１０が表示されている場面を想定する。この場面でユーザが削除ボタン３６を押すと、表示制御部１３９は、拡大基準位置を維持しつつ拡大率を４倍から２倍に変更した表示状態で、次画像である画像３２０の拡大画像７２０を表示部３４に表示させる。第３変形例によれば、被写体が動いている場合においても被写体が含まれた次画像を表示させることができる。
【００６５】
図１４は、削除処理に伴う画像表示処理の第４変形例を説明する図である。第４変形例では、表示制御部１３９は、ステップＳ２１２において、削除画像の拡大率を維持しつつ拡大基準位置を変更した表示状態で次画像を表示部３４に表示させる。例えば、図１３と同様に、画像群３００の画像３１０の被写体である人物７００の顔近傍の領域を拡大率４倍で拡大表示させた拡大画像７１０が表示されている場面を想定する。この場面でユーザが削除ボタン３６を押すと、図１４に示すように、表示制御部１３９は、拡大率を４倍に維持しつつ拡大基準位置を次画像である画像３２０における人物７００の顔領域の中心位置に変更した表示状態で、画像３２０の拡大画像７３０を表示部３４に表示させる。なお、表示制御部１３９は、画像３２０の関連情報を参照して顔領域の中心位置を検知する。第４変形例によれば、被写体が動いている場合においても被写体が含まれた次画像を表示させることができる。
【００６６】
なお、表示制御部１３９は、顔領域の中心位置の代わりに、次画像の焦点検出領域の中心位置に拡大基準位置を変更してもよい。拡大基準位置を焦点検出領域にあわせて変更することにより、ユーザは、フォーカスされた被写体の詳細を確認し易くなる。
【００６７】
上述したステップＳ２１３において、表示制御部１３９は、次画像の全体を表示部３４に表示させたが、削除画像の拡大率を低下させた表示状態で次画像を表示部３４に表示させてもよい。例えば、表示制御部１３９は、削除画像の拡大率を１／２倍した表示状態で次画像を表示部３４に表示させる。この場合、表示制御部１３９は、拡大基準位置を次画像の中心位置に変更する。なお、拡大基準位置は、削除画像の拡大基準位置に維持されたままであってもよい。
【００６８】
上述の実施形態において、画像群は連写撮影の画像で構成されたが、これに限らない。例えば、オートブラティングモードで撮影された一連の画像で画像群が構成される。また、カメラシステム制御部１３０は、記録部１４１に記録されている複数の画像におけるシーンの変わり目を判別し、１シーンに属する複数の画像を画像群として扱ってもよい。この場合、カメラシステム制御部１３０は、記録部１４１に記録されている画像の関連情報を参照してシーンの変わり目を判別する。
【００６９】
具体的には、カメラシステム制御部１３０は、カメラ１０の縦位置／横位置の変更、アスペクト比の変更、レンズ交換、焦点距離の変更、スピードライト３１の使用／不使用の変更、焦点検出領域の変更、露出値の変更をシーンの変わり目として判別する。そして、カメラシステム制御部１３０は、１シーンに属する複数の画像の関連情報に共通のシーンフラグを記述する。なお、シーンフラグは、シーン毎に異なるように設定される。上述した削除処理に伴う画像表示処理において、カメラシステム制御部１３０は、シーンフラグを参照して、削除画像と次画像とが同一の画像群に属するか否かを判断する。
【００７０】
上述の実施形態において、カメラシステム制御部１３０は、画像群を用いて削除画像と次画像とが関連しているか否かを判定したが、これに限らない。カメラシステム制御部１３０は、削除画像の関連情報および次画像の関連情報を参照して、削除画像と次画像とが関連しているか否かを判定してもよい。例えば、カメラシステム制御部１３０は、削除画像の撮影時刻と次画像の撮影時刻との差が予め定められた範囲内、例えば５秒以内である場合に、削除画像と次画像とが関連していると判定する。なお、カメラシステム制御部１３０は、ユーザの入力を操作部材で受け付けて予め定められた範囲を設定してもよい。
【００７１】
また、例えば、カメラ１０にカメラ１０の姿勢を検知する加速度センサを設け、カメラシステム制御部１３０は、撮影した画像の関連情報に姿勢情報を記述する。そして、カメラシステム制御部１３０は、削除画像の撮影時のカメラ１０の姿勢と次画像の撮影時のカメラ１０の姿勢とがほぼ同じである場合に、削除画像と次画像とが関連していると判定する。ただし、削除画像の撮影時刻と次画像の撮影時刻とが大きく異なる場合にはシーンが変更されている可能性が高い。そこで、カメラシステム制御部１３０は、上述のカメラ１０の姿勢の条件を満たし、かつ削除画像の撮影時刻と次画像の撮影時刻との差が予め定められた範囲内、例えば１０秒以内である場合に、削除画像と次画像とが関連していると判定する。なお、カメラシステム制御部１３０は、ユーザの入力を操作部材で受け付けて予め定められた範囲を設定してもよい。
【００７２】
上述の実施形態において、カメラシステム制御部１３０は、削除画像が属する画像群と次画像が属する画像群とが異なる場合、削除画像と自画像とが関連していないと判定したが、これに限らない。カメラシステム制御部１３０は、削除画像が属する画像群と次画像が属する画像群とが異なる場合、削除画像が属する画像群と次画像が属する画像群とが関連しているか否かを判定してもよい。例えば、カメラシステム制御部１３０は、削除画像が属する画像群の撮影時刻と次画像が属する画像群の撮影時刻との差が予め定められた範囲、例えば２０秒以内である場合に、削除画像が属する画像群と次画像が属する画像群とが関連していると判定する。なお、カメラシステム制御部１３０は、ユーザの入力を操作部材で受け付けて予め定められた範囲を設定してもよい。また、例えば、カメラシステム制御部１３０は、削除画像が属する画像群の画像の被写体が、次画像が属する画像群の画像に含まれている場合に、削除画像が属する画像群と次画像が属する画像群とが関連していると判定する。
【００７３】
表示制御部１３９は、削除画像が属する画像群と次画像が属する画像群とが関連している場合に、予め定められた拡大率および拡大基準位置の表示状態で次画像を表示部３４に表示させる。予め定められた拡大率は例えば２倍であり、予め定められた拡大基準位置は例えば次画像の中心位置である。なお、カメラシステム制御部１３０は、ユーザの入力を操作部材で受け付けて予め定められた拡大率および拡大基準位置を設定してもよい。
【００７４】
上述の実施形態において、表示制御部１３９は、カメラシステム制御部１３０が削除画像と次画像とが関連していると判定した場合に、削除画像の拡大率および拡大基準位置の少なくとも一方に依拠した表示状態で次画像を表示したが、これに限らない。例えば、表示制御部１３９は、カメラシステム制御部１３０が削除画像と次画像とが関連していると判定した場合に、削除画像の拡大率および拡大基準位置とは関係の無い予め定められた拡大率および拡大基準位置の表示状態で次画像を表示部３４に表示させる。予め定められた拡大率は例えば２倍であり、予め定められた拡大基準位置は例えば次画像の中心位置である。カメラシステム制御部１３０は、ユーザの入力を操作部材で受け付けて予め定められた拡大率および拡大基準位置を設定してもよい。また、カメラシステム制御部１３０は、さらに削除画像と次画像とが関連していない場合の拡大率および拡大基準位置についても、ユーザの入力を操作部材で受け付けて設定してもよい。
【００７５】
表示制御部１３９は、画像群に属する画像すべてを一画面でサムネイル表示する場合、画像群に属する画像の枚数にあわせてサムネイル数を決定してもよい。そして、表示制御部１３９は、サムネイル表示している画像の画像データが削除された場合に、削除後の画像群に属する画像の枚数に応じてサムネイル数を変更してもよい。
【００７６】
上述の実施形態において、受付部としての役割を担う削除ボタン３６、判定部としての役割を担うカメラシステム制御部１３０および表示制御部１３９により表示制御装置が構成される。なお、表示制御装置は、カメラ１０とは別体の操作部材および制御部で構成されてもよい。例えば、表示制御装置は、記録媒体が接続されたＰＣ等の電子機器に設けられる。そして、表示制御装置は、記録媒体に記録されている画像データの画像を機器の表示部に表示させるとともに、電子機器の操作部材で削除指示を受け付けて上述の削除処理に伴う画像表示処理を実行する。
【００７７】
上述の実施形態において、撮像装置としてカメラ１０全体を例に説明したが、カメラ本体３０を撮像装置として捉えてもよい。上述の実施形態において、撮像装置としてレンズ交換式カメラを例に説明したが、レンズ光学系が一体的に構成されたレンズ一体型カメラに対しても本実施形態に係る概念を適用することができる。上述の実施形態において、図３に示すようにミラー機構を備えたカメラが撮像装置の例として用いられたが、ミラー機構のないレンズ交換式カメラに対しても本実施形態に係る概念を適用することができる。ビデオカメラ、カメラ機能付き携帯電話、顕微鏡、望遠鏡等の撮像装置に対しても同様に本実施形態に係る概念を適用することができる。
【００７８】
以上、本発明を実施の形態を用いて説明したが、本発明の技術的範囲は上述の実施形態に記載の範囲には限定されない。上述の実施形態に、多様な変更または改良を加えることが可能であることが当業者に明らかである。その様な変更または改良を加えた形態も本発明の技術的範囲に含まれ得ることが、特許請求の範囲の記載から明らかである。
【００７９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８０】
１０  カメラ、１１  光軸、２０  交換レンズ、３０  カメラ本体、３１  スピードライト、３２  レリーズボタン、３３  撮影モードダイヤル、３４  表示部、３５  再生ボタン、３６  削除ボタン、３７  拡大ボタン、３８  縮小ボタン、３９  十字キー、４０  決定ボタン、４１  コマンドダイヤル、１２０  レンズシステム制御部、１２１、１２２  レンズ、１２３  絞り、１２４  駆動回路、１２５  レンズマウント接点、１３０  カメラシステム制御部、１３１  カメラマウント接点、１３２  システムメモリ、１３３  撮像素子、１３４  シャッタ、１３５  Ａ／Ｄ変換器、１３６  画像処理部、１３７  メモリ制御部、１３８  内部メモリ、１３９  表示制御部、１４０  外部機器ＩＦ、１４１  記録部、１４２  電源制御部、１４３  電源、１４４  操作検出部、２００、３００  画像群、２１０、２２０、２３０、２４０、３１０、３２０、３３０、６００、６２０  画像、４００  順序欄、４１０、４２０  拡大領域、４１１、４２１、５１０、５２０、５３０、５４０、６１０、７１０、７２０、７３０  拡大画像、７００  人物
【図１】
0005857787.tif 000002
【図２】
0005857787.tif 000003
【図３】
0005857787.tif 000004
【図４】
0005857787.tif 000005
【図５】
0005857787.tif 000006
【図６】
0005857787.tif 000007
【図７】
0005857787.tif 000008
【図８】
0005857787.tif 000009
【図９】
0005857787.tif 000010
【図１０】
0005857787.tif 000011
【図１１】
0005857787.tif 000012
【図１２】
0005857787.tif 000013
【図１３】
0005857787.tif 000014
【図１４】
0005857787.tif 000015